(57)【要約】【課題】  多値網点画像を構成する画素の階調値の変化に対する濃度変化がいびつな画像出力装置から出力する多値網点画像の濃度変化のリニアリティを向上させるようにすること。【解決手段】  階調値に対する画像出力装置２が形成する画素の濃度の測定結果に基づいて、それぞれの階調値と、階調値の変化に対する濃度変化がリニアとなるような濃度を、画像出力装置で出力するための階調値とを関連付けて階調値変換テーブルとして記憶する手段１２３と、受け付けた画像データを網点画像データに網点化する手段１１６と、網点化して得られる網点画像データの各画素の階調値を、階調値変換テーブルに基づいて変換する手段１２２と、画像出力装置２に対して、変換された網点画像データに基づいて画像記録媒体上に画像を出力するように制御する手段１１７とを備える。【選択図】      図５
2006148428.tif 000002
【特許請求の範囲】
【請求項１】
画像記録媒体上に、所定の領域内の画素を用いた網点で構成され、それぞれの画素が複数の段階を有する階調値で示される網点画像データに基づいて、前記階調値に対する濃度で各画素を形成して多値網点画像を出力する画像出力装置を含む画像出力システムであって、
それぞれの階調値に対する前記画像出力装置が形成する画素の濃度の測定結果に基づいて、それぞれの階調値と、前記階調値の変化に対する濃度変化がリニアとなるような濃度を、前記画像出力装置で出力するための階調値とを関連付けて階調値変換テーブルとして記憶する階調値変換テーブル記憶手段と、
画像データを受け付け、前記受け付けた画像データを前記網点画像データに網点化する網点化手段と、
前記網点化手段により網点化して得られる網点画像データの各画素の階調値を、前記階調値変換テーブルに基づいて変換する階調値変換手段と、
前記画像出力装置に対して、前記階調値変換手段により変換された網点画像データに基づいて前記画像記録媒体上に画像を出力するように制御する画像出力制御手段と、を備えることを特徴とする画像出力システム。
【請求項２】
前記階調値変換手段で変換され得られた網点画像データを前記画像出力装置で出力して得られたカラー画像に基づいて、前記受け付けた画像データの色調整を行う色調整手段を更に備え、
前記網点化手段は、前記色調整手段で色調整された画像データを網点化する請求項１に記載の画像出力システム。
【請求項３】
画像記録媒体上に、所定の領域内の画素を用いた網点で構成され、それぞれの画素が複数の段階を有する階調値で示される網点画像データに基づいて、前記階調値に対する濃度で各画素を形成して多値網点画像を出力する画像出力装置を含む画像出力システムであって、
画像データを前記網点画像データに網点化するための、所定の規則にしたがって前記所定の領域内の各画素に対して配置された複数の閾値群からなる網点基準データを記憶する網点基準データ記憶手段と、
それぞれの階調値に対する前記画像出力装置が形成する画素の濃度の測定結果に基づいて、それぞれの階調値と、前記階調値の変化に対する濃度変化がリニアとなるような濃度を、前記画像出力装置で出力するための階調値とを関連付けて、その関連付けに基づいて、前記網点基準データの閾値群を変換する網点基準データ変換手段と、
画像データを受け付け、前記受け付けた画像データを前記変換された網点基準データを用いて前記網点画像データに網点化する網点化手段と、
前記画像出力装置に対して、前記変換された網点基準データを用いて網点化された網点画像データに基づいて前記画像記録媒体上に画像を出力するように制御する画像出力制御手段と、を備えることを特徴とする画像出力システム。
【請求項４】
前記網点化手段で前記変換された網点基準データを用いて網点化され得られた網点画像データを前記画像出力装置で出力して得られたカラー画像に基づいて、前記受け付けた画像データの色調整を行う色調整手段を更に備え、
前記網点化手段は、前記色調整手段で色調整された画像データを網点化する請求項３に記載の画像出力システム。
【請求項５】
前記画像出力装置は、電子写真方式により画像を形成する請求項１乃至請求項４のいずれかに記載の画像出力システム。
【請求項６】
画像出力装置において、画像記録媒体上に、所定の領域内の画素を用いた網点で構成され、それぞれの画素が複数の段階を有する階調値で示される網点画像データに基づいて、前記階調値に対する濃度で各画素を形成して多値網点画像を出力するための画像出力方法であって、
それぞれの階調値に対する前記画像出力装置が形成する画素の濃度の測定結果に基づいて、それぞれの階調値と、前記階調値の変化に対する濃度変化がリニアとなるような濃度を、前記画像出力装置で出力するための階調値とを関連付けて階調値変換テーブルとして記憶する段階と、
画像データを受け付ける段階と、
前記受け付けた画像データを前記網点画像データに網点化する段階と、
前記網点化して得られる網点画像データの各画素の階調値を、前記階調値変換テーブルに基づいて変換する段階と、
前記画像出力装置に対して、前記変換された網点画像データに基づいて前記画像記録媒体上に画像を出力するように制御する段階と、を含むことを特徴とする画像出力方法。
【請求項７】
前記変換され得られた網点画像データを前記画像出力装置で出力して得られたカラー画像に基づいて、前記受け付けた画像データの色調整を行う段階を更に含み、
前記網点化する段階は、前記色調整された画像データを網点化する請求項６に記載の画像出力方法。
【請求項８】
画像出力装置において、画像記録媒体上に、所定の領域内の画素を用いた網点で構成され、それぞれの画素が複数の段階を有する階調値で示される網点画像データに基づいて、前記階調値に対する濃度で各画素を形成して多値網点画像を出力するための画像出力方法であって、
画像データを前記網点画像データに網点化するための、所定の規則にしたがって前記所定の領域内の各画素に対して配置された複数の閾値群からなる網点基準データを記憶する段階と、
それぞれの階調値に対する前記画像出力装置が形成する画素の濃度の測定結果に基づいて、それぞれの階調値と、前記階調値の変化に対する濃度変化がリニアとなるような濃度を、前記画像出力装置で出力するための階調値とを関連付けて、その関連付けに基づいて、前記網点基準データの閾値群を変換する段階と、
画像データを受け付ける段階と、
前記受け付けた画像データを前記変換された網点基準データを用いて前記網点画像データに網点化する段階と、
前記画像出力装置に対して、前記変換された網点基準データを用いて網点化された網点画像データに基づいて前記画像記録媒体上に画像を出力するように制御する段階と、を含むことを特徴とする画像出力方法。
【請求項９】
前記変換された網点基準データを用いて網点化され得られた網点画像データを、前記画像出力装置で出力して得られたカラー画像に基づいて、前記受け付けた画像データの色調整を行う段階を更に備え、
前記網点化する段階は、前記色調整された画像データを網点化する請求項８に記載の画像出力方法。
【請求項１０】
請求項６乃至請求項９のいずれかに記載の画像出力方法をコンピュータに実行させるためのプログラム。
【請求項１１】
請求項１０に記載のプログラムを前記コンピュータで読み取り可能に記録した情報記録媒体。
【発明の詳細な説明】
【技術分野】
【０００１】
本発明は、網点画像を作成するための画像出力システム、画像出力方法、その方法を実行させるためのプログラム、及び、そのプログラムを記録したコンピュータ読取り可能な情報記録媒体に関し、特に、電子写真方式の画像出力装置を用いて出力する多値網点画像を印刷物の仕上がりを事前に確認するためのカラープルーフまたは最終完成物として用いる場合に関する。
【背景技術】
【０００２】
近年、ＤＴＰ（Ｄｅｓｋ  Ｔｏｐ  Ｐｕｂｌｉｓｈｉｎｇ）等の普及により、コンピュータを用いて画像編集、ページ面付けする作業が一般化し、フルデジタルでの編集も珍しくなくなってきている。
【０００３】
このような工程では、さらなる効率化を目指して、フィルムにページ編集済みの画像データを直接出力するイメージセッター出力や、印刷版に直接画像記録を行うＣＴＰ（Ｃｏｍｐｕｔｅｒ  ｔｏ  Ｐｌａｔｅ）出力、さらには、印刷機のシリンダー上に巻かれた印刷版に直接画像記録を行うＣＴＣ（Ｃｏｍｐｕｔｅｒ  ｔｏ  Ｃｙｌｉｎｄｅｒ）が行われる。
【０００４】
また、印刷工程における校正のプロセスでは、〔１〕作業現場内部ミスの確認、すなわち内校、〔２〕発注主、デザイナーへの仕上がり確認用の提出される外校、〔３〕印刷機の機長に対して、最終印刷物の見本として提供される印刷見本、の主として３つの用途にプルーフが作成され、レイアウトに間違いないか、色間違いないか、文字の誤りがないか等を検査し、印刷物の仕上がりを事前に確認するようにしていた。
【０００５】
この場合、校正確認の為だけに一端フィルム出力や印刷版出力を行い、印刷校正や、その他の校正材料による校正を行うことは、フィルム、印刷版のムダや余計な作業が多くなる問題がある。
【０００６】
その為、特に、このようなコンピュータによるフルデジタルの画像作成、編集を行う工程では、ＤＤＣＰ（Ｄｉｒｅｃｔ  Ｄｉｇｉｔａｌ  Ｃｏｌｏｒ  Ｐｒｏｏｆ）ないしはＤＣＰ（Ｄｉｇｉｔａｌ  Ｃｏｌｏｒ  Ｐｒｏｏｆ）と呼ばれる直接カラー画像出力を行うシステムが求められ、コンピュータ上で加工されたデジタル画像データからイメージセッターなどで製版用フィルム上に記録したり、ＣＴＰで直接印刷版を作成する最終的な印刷作業を行ったり、ＣＴＣで印刷機のシリンダー上に巻かれた印刷版に直接画像記録を行ったりなどする前に、コンピュータ上で加工されたデジタル画像が示す出力対象を再現するカラープルーフを作成し、その絵柄、色調、文章文字等の確認が行われていた。
【０００７】
このようなカラープルーフを作成するものとして、各色分解網原稿の網点画像データに基づいて、銀塩カラー感光材料に、例えば、Ｒ、Ｇ、Ｂ等の波長の異なる複数の光の組み合わせからなる光点を露光して、３つの基本色Ｙ、Ｍ、Ｃの各ドットを発色させることで網点画像を再現してカラープルーフを作成するカラープルーフ作成装置がある。
【０００８】
一方、カラープルーフのように画質が要求されるものではないが、全体の構図を示し、例えば広告主の承認を得るのに使用されるものとしてコンプリヘンシブ・レイアウト（略称カンプ。以下、カンプと称する。）があり、このカンプを作成するものとして電子写真方式を用いたカラーレーザプリンタが使用されていた。
【０００９】
しかしながら、近年のカラーレーザプリンタの高画質化に伴い、安価かつ高速に高品位なカラー出力が可能になってきたことにより、カンプ用途だけではなく、ＤＣＣＰの用途、つまりカラープルーフの作成にカラーレーザプリンタを使用したいという要求や、カラーレーザプリンタからの出力物を最終完成物として使用したいという要求が高まっている。
【００１０】
カラーレーザプリンタを用いての出力物は、従来の印刷物に近い線数と階調表現の両立のために、複数の画素で構成する領域で１つの網点を用いる網点画像として出力される。また、さらに網点を構成する画素の濃度を段階的に変化させることで、高階調かつ滑らかな階調性の多値網点画像を出力することができる。また、多値網点画像の場合に、電子写真方式のプロセスの特性による中間階調画素の形成の不安定さによって引き起こされる画像の階調性の劣化を抑えるように、１つの網点を形成する画素のうち中間階調画素の数を制限するもの（例えば、特許文献１参照。）や、１つの網点を形成する画素のうち中間階調画素の数を階調値によって変化させるもの（例えば、特許文献２参照。）がある。
【００１１】
一方、カラープルーフ作成装置やカラーレーザプリンタ等の画像出力装置によるカラープルーフの出力色を例えば印刷機による印刷物の出力色に合わせこむためのＣＭＳ（Ｃｏｌｏｒ  Ｍａｎａｇｅｍｅｎｔ  Ｓｙｓｔｅｍ）がある。ＣＭＳには、一例として、画像出力装置や印刷機における入力側の画像データのＹ（イエロー）、Ｍ（マゼンタ）、Ｃ（シアン）、Ｋ（ブラック）の各色の階調値、例えば濃度の最小値を０、最大値を２５５とする階調値を、最小値０から最大値２５５の間を等分割して組み合わせた格子点に対応する出力側の色特性の値、例えばＬ＊ａ＊ｂ＊表色系の値を求めて、ＣＭＹＫ→Ｌ＊ａ＊ｂ＊  ＬＵＴ（ＬＵＴはルックアップテーブルを示す。）、及び、Ｌ＊ａ＊ｂ＊→ＣＭＹＫ  ＬＵＴを作成し、これらのＬＵＴから、印刷機で出力する色を目標とし、画像出力装置でその目標とする色を再現するように、画像データのＣＭＹＫ各色の階調値の組み合わせを変換するデバイスリンクカラープロファイル（ＣＭＹＫ→ＣＭＹＫ  ＬＵＴ）を求め、ＣＭＹＫ→ＣＭＹＫ  ＬＵＴを用いて画像データのＣＭＹＫ各色の階調値の組み合わせを変換して画像出力装置の出力色を印刷機の出力色に合わせ込むように色調整を行うものがある。
【００１２】
【特許文献１】特開昭６１−１８９７７４号公報
【特許文献２】特開２０００−３５００２４号公報
【発明の開示】
【発明が解決しようとする課題】
【００１３】
上述の多値網点画像は、画像データを複数の閾値群からなる網点基準データを用いて変換することで作成されるのであるが、網点基準データは、多値網点画像を構成する画素の濃度を例えば階調値で示す場合に、その階調値の変化に対し濃度がリニアに変化するものとして作成されている。
【００１４】
ところが、カラーレーザプリンタの中には、多値網点画像を構成する画素の階調値に対する濃度の変化がリニアではなくいびつなもの、例えば、階調値の低い部分と高い部分では濃度がほとんど変化せずに、中間の階調だけで濃度が変化するようなものがある。このようなカラーレーザプリンタで出力する多値網点画像の階調性は、多値網点画像を構成する画素の階調値の変化に対する濃度変化がいびつであるために、そのいびつな濃度変化が繰り返されるものとなってしまう。
【００１５】
また、上述のように出力する多値網点画像の階調性がいびつな濃度変化が繰り返すようなカラーレーザプリンタで、ＣＭＹＫ→ＣＭＹＫ  ＬＵＴを用いて色調整を行い出力する場合に、入力側のＣＭＹＫの階調値の組み合わせの格子点の間の組み合わせに対応する出力側の組み合わせを補間により求める場合に、格子点の間の各色の濃度変化がリニアではないので、補間することにより多値網点画像の色が目標の色とはずれてしまう。また、例えば、ＣＭＹＫ→Ｌ＊ａ＊ｂ＊  ＬＵＴ及びＬ＊ａ＊ｂ＊→ＣＭＹＫ  ＬＵＴの作成時においても、全ての入力点についての色を測定するのではなく、なるべく測定点を減らしてその他は補間で求めて作成するので、測定点の間の各色の濃度変化がリニアでないと、正確なＣＭＹＫ→Ｌ＊ａ＊ｂ＊  ＬＵＴ及びＬ＊ａ＊ｂ＊→ＣＭＹＫ  ＬＵＴを作成できない。したがって、これらを基に作成するＣＭＹＫ→ＣＭＹＫ  ＬＵＴで変換を行えば、出力色がずれてしまうことがある。
【００１６】
したがって、カラーレーザプリンタのいびつな濃度の変化は、最終的な画像の色ムラやトーンジャンプの原因となってしまう。また、このような画像品質の劣化は、カンプ用途であれば、問題視されないものであったが、カラープルーフ用途や、最終完成物として使用する場合には問題となる。
【００１７】
本発明は、上記事情に鑑みてなされたものであり、その目的とするところは、多値網点画像を構成する画素の階調値の変化に対する濃度変化がいびつな画像出力装置から出力する多値網点画像の濃度変化のリニアリティを向上させることが可能な画像出力システム、画像出力方法、その方法を実行させるためのプログラム、及び、そのプログラムを記録したコンピュータ読取り可能な情報記録媒体を提供することにある。
【課題を解決するための手段】
【００１８】
上記課題を解決するために、請求項１記載の発明は、画像記録媒体上に、所定の領域内の画素を用いた網点で構成され、それぞれの画素が複数の段階を有する階調値で示される網点画像データに基づいて、前記階調値に対する濃度で各画素を形成して多値網点画像を出力する画像出力装置を含む画像出力システムであって、それぞれの階調値に対する前記画像出力装置が形成する画素の濃度の測定結果に基づいて、それぞれの階調値と、前記階調値の変化に対する濃度変化がリニアとなるような濃度を、前記画像出力装置で出力するための階調値とを関連付けて階調値変換テーブルとして記憶する階調値変換テーブル記憶手段と、画像データを受け付け、前記受け付けた画像データを前記網点画像データに網点化する網点化手段と、前記網点化手段により網点化して得られる網点画像データの各画素の階調値を、前記階調値変換テーブルに基づいて変換する階調値変換手段と、前記画像出力装置に対して、前記階調値変換手段により変換された網点画像データに基づいて前記画像記録媒体上に画像を出力するように制御する画像出力制御手段と、を備えることを特徴とする。
【００１９】
また、請求項２記載の発明は、前記階調値変換手段で変換され得られた網点画像データを前記画像出力装置で出力して得られたカラー画像に基づいて、前記受け付けた画像データの色調整を行う色調整手段を更に備え、前記網点化手段は、前記色調整手段で色調整された画像データを網点化することを特徴とする。
【００２０】
また、請求項３記載の発明は、画像記録媒体上に、所定の領域内の画素を用いた網点で構成され、それぞれの画素が複数の段階を有する階調値で示される網点画像データに基づいて、前記階調値に対する濃度で各画素を形成して多値網点画像を出力する画像出力装置を含む画像出力システムであって、画像データを前記網点画像データに網点化するための、所定の規則にしたがって前記所定の領域内の各画素に対して配置された複数の閾値群からなる網点基準データを記憶する網点基準データ記憶手段と、それぞれの階調値に対する前記画像出力装置が形成する画素の濃度の測定結果に基づいて、それぞれの階調値と、前記階調値の変化に対する濃度変化がリニアとなるような濃度を、前記画像出力装置で出力するための階調値とを関連付けて、その関連付けに基づいて、前記網点基準データの閾値群を変換する網点基準データ変換手段と、画像データを受け付け、前記受け付けた画像データを前記変換された網点基準データを用いて前記網点画像データに網点化する網点化手段と、前記画像出力装置に対して、前記変換された網点基準データを用いて網点化された網点画像データに基づいて前記画像記録媒体上に画像を出力するように制御する画像出力制御手段と、を備えることを特徴とする。
【００２１】
また、請求項４記載の発明は、前記網点化手段で前記変換された網点基準データを用いて網点化され得られた網点画像データを前記画像出力装置で出力して得られたカラー画像に基づいて、前記受け付けた画像データの色調整を行う色調整手段を更に備え、前記網点化手段は、前記色調整手段で色調整された画像データを網点化することを特徴とする。
【００２２】
また、請求項５記載の発明は、前記画像出力装置は、電子写真方式により画像を形成することを特徴とする。
【００２３】
また、請求項６記載の発明は、画像出力装置において、画像記録媒体上に、所定の領域内の画素を用いた網点で構成され、それぞれの画素が複数の段階を有する階調値で示される網点画像データに基づいて、前記階調値に対する濃度で各画素を形成して多値網点画像を出力するための画像出力方法であって、それぞれの階調値に対する前記画像出力装置が形成する画素の濃度の測定結果に基づいて、それぞれの階調値と、前記階調値の変化に対する濃度変化がリニアとなるような濃度を、前記画像出力装置で出力するための階調値とを関連付けて階調値変換テーブルとして記憶する段階と、画像データを受け付ける段階と、前記受け付けた画像データを前記網点画像データに網点化する段階と、前記網点化して得られる網点画像データの各画素の階調値を、前記階調値変換テーブルに基づいて変換する段階と、前記画像出力装置に対して、前記変換された網点画像データに基づいて前記画像記録媒体上に画像を出力するように制御する段階と、を含むことを特徴とする。
【００２４】
また、請求項７記載の発明は、前記変換され得られた網点画像データを前記画像出力装置で出力して得られたカラー画像に基づいて、前記受け付けた画像データの色調整を行う段階を更に含み、前記網点化する段階は、前記色調整された画像データを網点化することを特徴とする。
【００２５】
また、請求項８記載の発明は、画像出力装置において、画像記録媒体上に、所定の領域内の画素を用いた網点で構成され、それぞれの画素が複数の段階を有する階調値で示される網点画像データに基づいて、前記階調値に対する濃度で各画素を形成して多値網点画像を出力するための画像出力方法であって、画像データを前記網点画像データに網点化するための、所定の規則にしたがって前記所定の領域内の各画素に対して配置された複数の閾値群からなる網点基準データを記憶する段階と、それぞれの階調値に対する前記画像出力装置が形成する画素の濃度の測定結果に基づいて、それぞれの階調値と、前記階調値の変化に対する濃度変化がリニアとなるような濃度を、前記画像出力装置で出力するための階調値とを関連付けて、その関連付けに基づいて、前記網点基準データの閾値群を変換する段階と、画像データを受け付ける段階と、前記受け付けた画像データを前記変換された網点基準データを用いて前記網点画像データに網点化する段階と、前記画像出力装置に対して、前記変換された網点基準データを用いて網点化された網点画像データに基づいて前記画像記録媒体上に画像を出力するように制御する段階と、を含むことを特徴とする。
【００２６】
また、請求項９記載の発明は、前記変換された網点基準データを用いて網点化され得られた網点画像データを、前記画像出力装置で出力して得られたカラー画像に基づいて、前記受け付けた画像データの色調整を行う段階を更に備え、前記網点化する段階は、前記色調整された画像データを網点化することを特徴とする。
【００２７】
また、請求項１０記載の発明は、請求項６乃至請求項９のいずれかに記載の画像出力方法をコンピュータに実行させるためのプログラムであることを特徴とする。
【００２８】
また、請求項１１記載の発明は、請求項１０に記載のプログラムを前記コンピュータで読み取り可能に記録した情報記録媒体であることを特徴とする。
【発明の効果】
【００２９】
請求項１に記載の画像出力システムによれば、階調値の変化に対して濃度の変化がいびつな画像出力装置で出力する場合であっても、階調値の変化に対する濃度の変化がリニアになるように、階調値を階調値変換テーブルに基づいて変換することにより、多値網点画像の濃度変化のリニアリティを向上させることができる。したがって、出力される多値網点画像は、濃度変化のリニアリティが向上しているので、画像出力装置のいびつな濃度の変化による色ムラやトーンジャンプを発生しない。
【００３０】
請求項２に記載の画像出力システムによれば、濃度変化のリニアリティが向上した多値網点画像によるカラー画像に基づいて色調整を行うので、出力色がずれて色ムラやトーンジャンプを発生することがない。
【００３１】
請求項３に記載の画像出力システムによれば、階調値の変化に対して濃度の変化がいびつな画像出力装置で出力する場合であっても、階調値の変化に対する濃度の変化がリニアになるように、網点基準データを変換し、変換した網点基準データで網点化することにより、多値網点画像の濃度変化のリニアリティを向上させることができる。したがって、出力される多値網点画像は、濃度変化のリニアリティが向上しているので、画像出力装置のいびつな濃度の変化による色ムラやトーンジャンプを発生しない。
【００３２】
請求項４に記載の画像出力システムによれば、濃度変化のリニアリティが向上した多値網点画像によるカラー画像に基づいて色調整を行うので、出力色がずれて色ムラやトーンジャンプを発生することがない。
【００３３】
請求項５に記載の画像出力システムによれば、特に、階調値の変化に対して濃度の変化がいびつな電子写真方式の画像出力装置を用いる場合に、出力される多値網点画像は、濃度変化のリニアリティが向上しているので、画像出力装置のいびつな濃度の変化による色ムラやトーンジャンプを発生しない。
【００３４】
請求項６に記載の画像出力方法によれば、階調値の変化に対して濃度の変化がいびつな画像出力装置で出力する場合であっても、階調値の変化に対する濃度の変化がリニアになるように、階調値を階調値変換テーブルに基づいて変換することにより、多値網点画像の濃度変化のリニアリティを向上させることができる。したがって、出力される多値網点画像は、濃度変化のリニアリティが向上しているので、画像出力装置のいびつな濃度の変化による色ムラやトーンジャンプを発生しない。
【００３５】
請求項７に記載の画像出力方法によれば、濃度変化のリニアリティが向上した多値網点画像によるカラー画像に基づいて色調整を行うので、出力色がずれて色ムラやトーンジャンプを発生することがない。
【００３６】
請求項８に記載の画像出力方法によれば、階調値の変化に対して濃度の変化がいびつな画像出力装置で出力する場合であっても、階調値の変化に対する濃度の変化がリニアになるように、網点基準データを変換し、変換した網点基準データで網点化することにより、多値網点画像の濃度変化のリニアリティを向上させることができる。したがって、出力される多値網点画像は、濃度変化のリニアリティが向上しているので、画像出力装置のいびつな濃度の変化による色ムラやトーンジャンプを発生しない。
【００３７】
請求項９に記載の画像出力方法によれば、濃度変化のリニアリティが向上した多値網点画像によるカラー画像に基づいて色調整を行うので、出力色がずれて色ムラやトーンジャンプを発生することがない。
【００３８】
請求項１０に記載の発明によれば、請求項６乃至請求項９に記載の画像出力方法をコンピュータに実行させるためのプログラムを提供することができる。
【００３９】
請求項１１に記載の発明によれば、請求項１０に記載のプログラムをコンピュータで読み取り可能に記録した情報記録媒体を提供することができる。
【発明を実施するための最良の形態】
【００４０】
［第１の実施の形態］
以下、本発明に係る画像出力システムの第１の実施の形態について、図面を参照しながら具体的に説明する。
【００４１】
（システムの構成）
まず、本実施の形態における画像出力システムの全体構成について図１を参照して説明する。図１は、当該画像出力システム全体の構成を示す図である。
【００４２】
図１に示すように、当該画像出力システムは、クライアント端末３やＲＩＰ（Ｒａｓｔｅｒ  Ｉｍａｇｅ  Ｐｒｏｃｅｓｓｏｒ）４から送信された画像データを網点化して、網点化された画像データ（以下、網点画像データ）を出力指示信号とともに画像出力装置であるカラーレーザプリンタ２に送信する制御装置１と、この制御装置１からの出力指示信号及び網点画像データに基づく網点画像を出力するカラーレーザプリンタ２と、から構成されており、これらは、互いにネットワークＮを介して接続されている。
【００４３】
ここで、本実施の形態においてカラーレーザプリンタ２が出力する網点画像は、Ｙ（イエロー）、Ｍ（マゼンタ）、Ｃ（シアン）、Ｋ（ブラック）の各色について所定の領域内の画素を用いた網点で構成され、網点の大小と網点を構成する各画素の濃度を変化させて網点で構成される画像の濃淡を表現するようになされている多値網点画像である。本実施の形態では、網点を１６個の画素を用いて形成し、画素の濃度を例えば白を０、ベタを１５とする階調値に対応して１６段階で表現する（このような多値網点画像を形成するための網点化については後述する。）。
【００４４】
クライアント端末３は、いわゆるＰＣ（Ｐｅｒｓｏｎａｌ  Ｃｏｍｐｕｔｅｒ）で、コンピュータ本体、キーボードおよびモニタ等に加えて、イメージスキャナ等の画像入力機器などを備え（図示せず）、コンピュータ本体にアプリケーションソフトを備え、アプリケーションソフトを実行させて画像データを作成し、画像データをネットワークＮを介してＲＩＰ４、または、制御装置１に送信する。また、このようなクライアント端末は、通常、複数台が設けられている（図１では、３台設けられているが、もちろん１台のみの構成や所望の台数からなる構成としてよい）。
【００４５】
また、クライアント端末３で作成・送信される画像データの種別には、いわゆるベクタグラフィックスと呼ばれ、図２に示すような画像として示される各オブジェクトを点の座標とそれを結ぶ線や面の方程式のパラメータ、及び、塗りつぶしの色（図２では、ＹＭＣＫ各色の階調値で示す）や特殊効果、文字の形状を示す文字フォント情報やそのサイズなどの描画情報の集合で示すベクトルデータや、いわゆるビットマップグラフィックスと呼ばれ、例えば、図３に示すように、横方向に所定の間隔（解像度）で配置された複数の画素で１ラインを構成し、さらにラインが縦方向に所定の間隔で並べられ、各画素は階調値で示される描画情報により示すラスターデータがある。
【００４６】
また、階調値は、本実施の形態では、白を０、ベタを２５５とし２５６段階で示すが、階調値に代えて、白を０％、ベタを１００％としその間の中間調を段階的に％で示す網％で示してもよい。
【００４７】
ＲＩＰ４は、サーバ等で構成され、クライアント端末３から送信されるベクトルデータをネットワークＮを通じて受信し、画像、文字フォントなどの描画情報を解析しラスターデータに変換を行うプロセッサとして機能する。
【００４８】
制御装置１は、図４に示すように、コンピュータ本体１００、モニタ等の表示部１０５、キーボード等の入力部１０６から構成され、コンピュータ本体１００は、マイクロプロセッサからなる演算処理部１０１、メモリからなる第１記憶部１０２、ハードディスクからなる第２記憶部１０３、外部との通信のためのインターフェイス１０４、及び、各部を通信可能にする内部バス１０７からなる。また、第２記憶部１０３には画像出力処理のための所定のプログラムが組み込まれ、演算処理部１０１は、このプログラムを実行して後述の画像処理を行う。また、入力部１０６に、例えばフロッピー（登録商標）ディスク、ＣＤ−ＲＯＭ、磁気記録テープ等の可搬性の情報記録媒体から情報を読取るための装置（図示せず）を含んでいる。
【００４９】
ここで、制御装置１の制御構成について図５に示す制御装置１の機能ブロック図を用いて説明する。制御装置１は、図４に示した構成により図５に示す各手段の機能を備える。
【００５０】
管理手段１１２は、（１）クライアント端末３やＲＩＰ４から送信された画像データを受け付けると、受け付けた画像データを画像として出力するべく解析加工手段１１１に送る。（２）クライアント端末３や入力部１０６からのＣＭＳ  ＬＵＴの作成指示を受け付けると、ＣＭＳ  ＬＵＴを作成するべく、画像データ記憶部１２０に格納されているＣＭＳ  ＬＵＴを作成するためのカラー画像としての複数のカラーパッチをラスターデータで示す画像データ（以下、ＣＭＳ用画像データ）を網点化手段１１６に送る。（３）クライアント端末３や入力部１０６からの変換特性作成指示を受け付けると、階調値変換テーブルを作成するべく画像データ記憶部１２０に格納されている階調値変換テーブルを作成するための各色毎にそれぞれの階調値で示される画素で構成されるパッチを示す画像データ（以下、階調値変換用画像データ）を画像出力制御手段１１７に送る。
【００５１】
解析加工手段１１１は、画像データを解析して、当該画像データがベクトルデータである場合に、画像、文字フォントなどの描画情報を解析しラスターデータ化する。
【００５２】
色調整手段１１３は、カラーレーザプリンタ２で例えば印刷機による出力色と同じ色で出力するように、印刷機の出力色を目標とし、その目標とする色に合わせこむためのものである。本実施の形態では、ラスターデータに示される各画素のＣＭＹＫの階調値の組み合わせを、ＣＭＳ  ＬＵＴ記憶部１２１に記憶されているＣＭＹＫ→ＣＭＹＫ  ＬＵＴを用いて変換し色調整を行い網点化手段１１６へ送る。言うまでも無いが、色調整を行わない場合には、受けたラスターデータのまま網点化手段１１６へ送る。
【００５３】
網点化手段１１６は、画像データ（ラスターデータ）を、網点基準データ記憶部（網点基準データ記憶手段）１１５内の網点基準データに基づいて網点化し、また、上述のＣＭＳ用画像データを網点基準データに基づいて網点化する。ここで行う網点化とは、ラスターデータを、各色について所定の数の画素からなる所定の領域ごとにその領域内の画素を用いて網点を形成し、その網点の大小と網点を形成する各画素の濃度を変化させて画像の濃淡を表現する多値網点画像を構成する網点画像データに変換することである。したがって、網点画像データは、網点を用いてラスターデータに基づく画像を多値網点画像で構成することになる。例えば、網点化の一例として、図９（ａ）に示すようにラスターデータを４画素×４画素の領域ごとに、各領域内の画素で１つの網点を形成する場合を説明する。ただし、本例では、カラーレーザプリンタ２は、上述したように多値網点画像の各画素を白を示す階調値０からベタを示す階調値１５までの間を１６階調で形成するものとして説明する。また、ラスターデータの０から２５５の２５６階調で示される階調値の大小に応じて、多値網点画像の網点の大きさの大小及び網点を構成する画素の階調値が１６階調で変化するように、図９（ｃ）に示すような、４画素×４画素の領域の各画素に対し、所定の規則にしたがって配置された出力側階調値１のための閾値群のレベル１乃至出力側階調値１５のための閾値群のレベル１５の合計１５の閾値群からなる網点基準データを網点基準データ記憶部１１５内に記憶しておく。図９（ｂ）に、図９（ａ）に示したラスターデータのある４画素×４画素の領域の各画素の階調値（１００）について、この各画素の階調値を各網点基準データの対応する位置の閾値と比較し、レベル１の網点基準データについて階調値が閾値と同じ若しくは大きい場合に「１」小さい場合に「０」を選択し、レベル２の網点基準データについて階調値が閾値と同じ若しくは大きい場合に「２」小さい場合に「０」を選択し、レベル３の網点基準データについて階調値が閾値と同じ若しくは大きい場合に「３」小さい場合に「０」を選択し、レベル４の網点基準データについて階調値が閾値と同じ若しくは大きい場合に「４」小さい場合に「０」を選択し、レベル５の網点基準データについて階調値が閾値と同じ若しくは大きい場合に「５」小さい場合に「０」を選択し、レベル６の網点基準データについて階調値が閾値と同じ若しくは大きい場合に「６」小さい場合に「０」を選択し、レベル７の網点基準データについて階調値が閾値と同じ若しくは大きい場合に「７」小さい場合に「０」を選択し、レベル８の網点基準データについて階調値が閾値と同じ若しくは大きい場合に「８」小さい場合に「０」を選択し、レベル９の網点基準データについて階調値が閾値と同じ若しくは大きい場合に「９」小さい場合に「０」を選択し、レベル１０の網点基準データについて階調値が閾値と同じ若しくは大きい場合に「１０」小さい場合に「０」を選択し、レベル１１の網点基準データについて階調値が閾値と同じ若しくは大きい場合に「１１」小さい場合に「０」を選択し、レベル１２の網点基準データについて階調値が閾値と同じ若しくは大きい場合に「１２」小さい場合に「０」を選択し、レベル１３の網点基準データについて階調値が閾値と同じ若しくは大きい場合に「１３」小さい場合に「０」を選択し、レベル１４の網点基準データについて階調値が閾値と同じ若しくは大きい場合に「１４」小さい場合に「０」を選択し、レベル１５の網点基準データについて階調値が閾値と同じ若しくは大きい場合に「１５」小さい場合に「０」を選択し、選択した数値の中からさらに最大値を選択することにより、その画素の多値網点画像における階調値とする。このようにして、図９（ｂ）に示したラスターデータは、図９（ｄ）に示すように変換される。図９（ｄ）は、図９（ｅ）に示す網点画像データの図９（ｂ）に示した領域の図９（ａ）に示すラスターデータ上の位置に相当する。また、このような多値網点画像によれば、各色について画素を１６階調で示し、４画素×４画素×１５階調（白を除く）＋１階調（白）＝２４１階調で濃度を表現できる。ここでは、網点を１６階調で示される画素で形成する例を示したが、これに限るものではなく、また、４画素×４画素の領域内の画素を用いて網点を形成する例を示したが、これに限るものではない。
【００５４】
階調値変換手段１２２は、多値網点画像の濃度変化のリニアリティを向上させるために、網点化手段１１６により網点化されて得られた網点画像データが示す各画素の階調値を階調値変換テーブル記憶部（階調値変換テーブル記憶手段）１２３に記憶されている階調値変換テーブルを用いて変換する（詳細は後述）。
【００５５】
画像出力制御手段１１７は、通信手段１１８を介して、階調値が変換された網点画像データとともに出力指示信号をカラーレーザプリンタ２に対して送信する。また、上述の（２）の網点化されたＣＭＳ用画像データとともに出力・測定指示信号をカラーレーザプリンタ２に対して送信する。また、上述の（３）の管理手段１１２から送られる階調値変換用画像データとともに出力・測定指示信号をカラーレーザプリンタ２に対して送信する。
【００５６】
階調値変換テーブル作成手段１２４は、カラーレーザプリンタ２で階調値変換用画像データに基づいて出力され測定された各色各階調のパッチの濃度、例えばＯＤ（Ｏｐｔｉｃａｌ  Ｄｅｎｓｉｔｙ）値を受けて、多値網点画像における各色の階調値と濃度の関係のリニアリティを向上させるようにするための階調値変換テーブルを作成し、階調値変換テーブル記憶部１２３に記憶する（詳細は後述）。
【００５７】
ＣＭＳ  ＬＵＴ作成手段１１４は、網点化手段１１６で網点化され、階調値変換手段１２２で変換されたＣＭＳ画像データに基づいてカラーレーザプリンタ２で出力され測定された複数のカラーパッチの色特性の値（本例ではＬ＊ａ＊ｂ＊表色系の値）を受け付ける。そして、基準色特性記憶部１１９に記憶されている、例えば、複数のカラーパッチを示す階調値の組み合わせに対応する目標とする印刷機が出力する出力色のＬ＊ａ＊ｂ＊表色系の値を示す印刷機におけるＣＭＹＫ→Ｌ＊ａ＊ｂ＊  ＬＵＴと、受け付けた複数のカラーパッチを示す階調値の組み合わせに基づいてカラーレーザプリンタ２で出力された出力色のＬ＊ａ＊ｂ＊表色系の値から、印刷機が出力する色をカラーレーザプリンタ２で出力するための各色の階調値の組み合わせを求め、所定の各色の階調値の組み合わせに対し、所定の各色の階調値の組み合わせにより印刷機が出力する出力色をカラーレーザプリンタ２で出力するための各色の階調値の組み合わせを関連付けたＣＭＹＫ→ＣＭＹＫ  ＬＵＴを作成し、ＣＭＳ  ＬＵＴ記憶部１２１に記憶する（詳細は後述）。
【００５８】
カラーレーザプリンタ２は、電子写真方式を用いたいわゆるタンデム型カラー複写機と称せられるもので、図６に示すように、原稿を複写する場合に原稿の画像を読取る画像読取部ＳＣ、イエロー、マゼンタ、シアン、黒色の各色の画像を形成するそれぞれの画像形成部１０Ｙ、１０Ｍ、１０Ｃ、１０Ｋ及び露光手段３Ｙ、３Ｍ、３Ｃ、３Ｋと、中間転写体ユニット７と、給紙手段２１及び定着手段とを備えている。本実施の形態では、カラーレーザプリンタ２として複写機能を有するタンデム型カラー複写機を用いるが、本発明を実施には複写機能は係わらないため、カラーレーザプリンタ２は、例えばいわゆるタンデム型カラープリンタでよい。
【００５９】
画像形成部１０Ｙ、１０Ｍ、１０Ｃ、１０Ｋは垂直方向に縦列配置されており、感光体１Ｙ、１Ｍ、１Ｃ、１Ｋの図示左側にはローラ７１、７２、７３、７４を巻回して回動可能に張架された半導電性エンドレスベルト状の中間転写体７０が配置されている。
【００６０】
そして、中間転写体７０は中間転写体駆動ローラ７１により中間転写体駆動ローラ７１に接続された図示しない駆動装置により矢印方向に搬送されている。
【００６１】
イエロー色の画像を形成する画像形成部１０Ｙは、感光体１Ｙの周囲に配置された帯電手段２Ｙ、露光手段３Ｙ、現像手段４Ｙ、１次転写ローラ５Ｙ、クリーニング手段６Ｙを有する。
【００６２】
マゼンタ色の画像を形成する画像形成部１０Ｍは、感光体１Ｍの周囲に配置された帯電手段２Ｍ、露光手段３Ｍ、現像手段４Ｍ、１次転写ローラ５Ｍ、クリーニング手段６Ｍを有する。
【００６３】
シアン色の画像を形成する画像形成部１０Ｃは、感光体１Ｃの周囲に配置された帯電手段２Ｃ、露光手段３Ｃ、現像手段４Ｃ、１次転写ローラ５Ｃ、クリーニング手段６Ｃを有する。
【００６４】
黒色の画像を形成する画像形成部１０Ｋは、感光体１Ｋの周囲に配置された帯電手段２Ｋ、露光手段３Ｋ、現像手段４Ｋ、１次転写ローラ５Ｋ、クリーニング手段６Ｋを有する。
【００６５】
制御装置１から、網点画像データが送信されると、帯電手段２Ｙ、２Ｍ、２Ｃ、２Ｋは、それぞれ感光体１Ｙ、１Ｍ、１Ｃ、１Ｋを矢印方向に回転させつつ、その表面を所定の極性・電位に一様に帯電させ、露光手段３Ｙ、３Ｍ、３Ｃ、３Ｋは、それぞれに対応する色の網点画像データに基づいて図示しないレーザダイオードを変調し、それぞれの感光体１Ｙ、１Ｍ、１Ｃ、１Ｋ上に入射するレーザ光を感光体１Ｙ、１Ｍ、１Ｃ、１Ｋの回転方向に対し直角方向に走査し、その回転移動とレーザ光の走査を繰り返して静電潜像を形成する。このレーザ光の走査方向を主走査方向、感光体の回転方向を副走査方向といい、感光体の回転を感光体の副走査方向への移動という。例えば、帯電手段２Ｙ、２Ｍ、２Ｃ、２Ｋは、図７に示すように、それぞれ感光体１Ｙ、１Ｍ、１Ｃ、１Ｋの表面を負極性の表面電位Ｖｈとなるように帯電処理し、レーザ光によって画像が露光されると、露光部の電位はＶｉまで大きく減衰して、静電潜像が形成される。そして、現像手段４Ｙ、４Ｍ、４Ｃ、４Ｋによりそれぞれの色のトナー画像が形成される。このとき、網点画像の画素を１５階調（白を除く）の濃度で表現するために、露光部の電位Ｖｉを変化させるようにレーザ光の強度を変化させるか、または、レーザ光による露光時間を変化させる。
【００６６】
ここで、１次転写ローラ５Ｙ、５Ｍ、５Ｃ、５Ｋは、選択的に作動するように制御されてそれぞれ対応する感光体１Ｙ、１Ｍ、１Ｃ、１Ｋに中間転写体７０を押圧する。
【００６７】
このようにして、画像形成部１０Ｙ、１０Ｍ、１０Ｃ、１０Ｋにより感光体１Ｙ、１Ｍ、１Ｃ、１Ｋに形成された各色のトナー画像は、１次転写ローラ５Ｙ、５Ｍ、５Ｃ、５Ｋにより、回動する中間転写体７０上に逐次転写されて、合成された画像が形成される。
【００６８】
また、給紙カセット２０内に収容された画像記録媒体としての用紙Ｐは、終始手段２１により給紙され、複数の中間ローラ２２Ａ、２２Ｂ、２２Ｃ、２２Ｄ、レジストローラ２３を経て、２次転写ローラ５Ａに搬送され、２次転写ローラ５Ａにより中間転写体７０上の画像が用紙Ｐ上に一括転写される。
【００６９】
ここで、２次転写ローラ５Ａは、ここを用紙Ｐが通過して２次転写が行われるときにのみ、中間転写体７０及び用紙Ｐを介しローラ７２に圧接する。
【００７０】
一方、２次転写ローラ５Ａにより用紙Ｐに画像を転写した後、用紙Ｐを曲率分離した中間転写体７０は、クリーニング手段６Ａにより残留トナーが除去される。
【００７１】
画像が転写された用紙Ｐは、定着手段２４により定着処理され、排紙ローラ２５に挟持されて搬送され、機外の排紙トレイ２６（図示せず）上に載置される。
【００７２】
以上のような構成により、制御装置１は、画像データを網点画像データ化して、網点画像データに基づいてカラーレーザプリンタ２は、カラープルーフまたは最終完成物を作成することができる。
【００７３】
また、定着手段２４の用紙Ｐの搬送方向下流では、排紙ローラ２５方向及び測定手段３０方向へ切り換えて搬送するように為されている。測定手段３０は、階調値変換用画像データの各色各階調のパッチのＯＤ値の測定、ＣＭＳ用画像データの複数のカラーパッチのＬ＊ａ＊ｂ＊表色系の値を測定するためのものである。また、測定手段３０での測定の際には、用紙Ｐは、ローラ３１に挟持されて搬送され、装置下方向に搬送され、用紙Ｐ後端がローラ３１に達したら、排紙ローラ２５方向に搬送しつつ測定手段３０でＯＤ値またはＬ＊ａ＊ｂ＊表色系の値を測定する。そして、測定結果は、測定結果情報として図示しない送信手段によって制御装置１に送信される。また、感光体１Ｙ、１Ｍ、１Ｃ、１Ｋや中間転写体７０上のトナー像からＯＤ値を測定するように測定手段３０を配置してもよいし、測定手段を制御手段１に接続し、制御手段１が測定手段３０から測定値を受け付ける形態であってもよい。また、測定結果を格納した可搬性の情報記録媒体から、測定結果を読取るようにしてもよい。
【００７４】
（画像出力方法）
次に、当該画像出力システムにおいて行われる画像出力方法について説明するにあたり、まず、階調値変換テーブル作成手順について図８のフローチャートを用いて説明する。図８は、制御装置１における階調値変換テーブル作成の手順を示すフローチャートである。
【００７５】
図８に示すように、制御装置１の管理手段１１２は、クライアント端末３または入力部１０６からの変換特性作成指示を受けると（ステップＳ１０１、Ｙ。以下「ステップＳ１０１」は「Ｓ１０１」のように省略して表す。他のステップも同様。）、Ｓ１０２では、制御装置１は、階調値変換テーブルを作成するための階調値変換用画像データと出力・測定指示信号をカラーレーザプリンタ２へ送信する。具体的には、管理手段１１２は、画像データ記憶部１２０に格納されている階調値変換用画像データを画像出力制御手段１１７に送る。ここで、階調値変換用画像データは、図１０に示すような各色毎に多値網点画像における画素の階調値１から階調値１５（ベタ）のパッチで構成される。したがって、例えば、各階調値のパッチの各画素はその階調値、例えばＫの階調値１５を示すパッチは図１０に示すように各画素が階調値１５になっている（図示しないが、他の色については階調値０である。パッチ以外の領域では、ＣＭＹＫの階調値が０となっている）。そして、画像出力制御手段１１７は、通信手段１１８を介して、階調値変換用画像データとともに出力・測定指示信号をカラーレーザプリンタ２に対して送信する。
【００７６】
ここで、カラーレーザプリンタ２は、階調値変換用画像データとともに出力・測定指示信号を受信すると、その階調値変換用画像データに基づいて用紙Ｐに各色毎の階調値１から階調値１５のパッチを形成し、さらに、測定手段３０で各パッチ及び用紙Ｐの地肌を白（階調値０）としてＯＤ値を測定し、測定結果情報を制御装置１に送信する。
【００７７】
そして、制御装置１の階調値変換テーブル作成手段１２４は、通信手段１１８を介して、測定結果情報を受けて（Ｓ１０３、Ｙ）、各色について階調値変換テーブルを作成し（Ｓ１０４）、階調値変換テーブル記憶部１２３に記憶する（Ｓ１０５）。
【００７８】
階調値変換テーブルの作成は、例えば、図１１に示すように、イエローについての受け付けた測定結果の階調値０から階調値１５のそれぞれのＯＤ値をプロットして測定濃度特性を求める。さらに、階調値０と階調値１５のＯＤ値を直線で結び、目標濃度特性とする。まず、それぞれの階調値の目標濃度特性におけるＯＤ値を求める。そして求めたＯＤ値となる測定濃度特性における最も近くなる階調値を求める。すなわち、階調値の変化に対して濃度がリニアに変化するように、それぞれの階調値における目標のＯＤ値をカラーレーザプリンタ２で出力するための階調値を求める。例えば、図１１に示すように、階調値１０の理想カーブにおける濃度の測定結果が示すカーブにおける階調値は、約８．７となり、求める階調値は整数であるから、四捨五入して９と求まる。そして、それぞれの階調値を入力値、それぞれの階調値について求めた階調値を出力値として、例えば図１２に示すような階調値変換テーブルを作成する。上述の説明では、目標濃度特性として階調値０と階調値１５のＯＤ値を結んだ直線としたが、階調値０から階調値１５で濃度がリニアに変化するものであればよく、例えば、図１１に破線で示す階調値０のＯＤ値と階調値１５についてはプロットしたＯＤ値より低いＯＤ値を結んだ直線、目標濃度特性（参考）であってもよい。
【００７９】
さらにここで、このように作成された階調値変換テーブルを用いて変換を行った場合の多値網点画像の階調性について、説明する。例えば、ラスターデータにおけるイエローの９６階調から１１２階調の間の濃度変化について、変換なしの場合と変換ありの場合を比較する。９６階調から１１２階調をそれぞれ図１３に１）から１７）に示す。図１３（ａ）に示す各階調値のラスターデータは、図９（ｃ）の網点基準データを用いて、図１３（ｂ）に示す網点画像データとなり、ここに示す階調値は変換なしのものとなる。ここで、図１３（ａ）、（ｂ）から、ラスターデータの階調値に対応して、網点画像データの下段の左から３番目の画素の階調値が変化している。この画素の階調値の変化により濃度が変化するので、その濃度変化の様子は、下段の左から３番目の画素の階調値の図１１に示す測定濃度特性のＯＤ値から、図１４に模式的に「変換なし」として示すことができる。さらに、この網点基準データを図１２の階調値変換テーブルで変換することにより、図１３（ｃ）に示す網点画像データ（変換）となる。ここで、図１３（ａ）、（ｃ）から、ラスターデータの階調値に対応して、網点画像データの下段の左から３番目の画素の階調値が変化している。同様に、濃度変化の様子を、下段の左から３番目の画素の階調値の図１１に示す測定濃度特性のＯＤ値から、図１４に模式的に「変換あり」として示すことができる。図１４の変換なし及び変換ありを比較すれば、変換なしの網点画像データでは、濃度変化が図１１同様いびつに変化するが、変換ありの網点画像データでは、ほぼリニアに変化していることが分かる。このような濃度変化が、階調値０から階調値２５５の間で繰り返されるので、変換なしでは、いびつな濃度変化を繰り返し、変換を行ったものは、階調値０から階調値２５５の間でもほぼリニアとなる。
【００８０】
このように各色について作成された階調値変換テーブルに基づいて、各画素の階調値の変換を行えば、階調値の変化に対してＯＤ値の変化がいびつ（本例では、階調値４から階調値１２の間でＯＤ値が変化）であっても、多値網点画像の濃度変化のリニアリティを向上させることができる。
【００８１】
次に、ＣＭＳ  ＬＵＴ作成手順について図１５のフローチャートを用いて説明する。図１５は、制御装置１におけるＣＭＳ  ＬＵＴ作成の手順を示すフローチャートである。
【００８２】
図１５に示すように、制御装置１の管理手段１１２は、クライアント端末３または入力部１０６からのＣＭＳ  ＬＵＴ作成指示を受けると（Ｓ２０１、Ｙ）、管理手段１１２は、画像データ記憶部１２０に格納されているＣＭＳ  ＬＵＴを作成するためのＣＭＳ用画像データを網点化手段１１６に送り、網点化手段１１６はＣＭＳ用画像データを上述の図９（ｃ）の網点基準データを用いて網点化する（Ｓ２０２）。ここで、ＣＭＳ用画像データは、例えば、図１６に示すようなＣ、Ｍ、Ｙ、Ｋそれぞれの階調値を最小値０から最大値２５５までを４分割し、０、６４、１２８、１９１、２５５の５段階をとり、Ｃ×Ｍ×Ｙ×Ｋ：５×５×５×５＝６２５点の組み合わせについての少なくともカラーレーザプリンタ２の測定手段３０で測定可能な大きさのカラーパッチ（カラー画像）が示されているラスターデータである。
【００８３】
次に、階調値変換手段１２２は、網点化されたＣＭＳ用画像データの各色毎に各画素を、階調値変換テーブル記憶部１２３のそれぞれの色についての階調値変換テーブルに基づいて変換する（Ｓ２０３）。そして、画像出力制御手段１１７は、通信手段１１８を介して、変換されたＣＭＳ用画像データと出力・測定指示信号をカラーレーザプリンタ２に対して送信する（Ｓ２０４）。
【００８４】
ここで、カラーレーザプリンタ２は、網点化され変換されたＣＭＳ用画像データとともに出力・測定指示信号を受信すると、用紙Ｐに上述の６２５個カラーパッチの多値網点画像を形成し、さらに、測定手段３０で形成した各カラーパッチのＬ＊ａ＊ｂ＊表色系の値を測定し、測定結果情報を制御装置１に送信する。
【００８５】
そして、制御装置１のＣＭＳ  ＬＵＴ作成手段１１４は、通信手段１１８を介して、測定結果情報を受けて（Ｓ２０５、Ｙ）、ＣＭＳ  ＬＵＴを作成し（Ｓ２０６）、ＣＭＳ  ＬＵＴ記憶部１２１に記憶する（Ｓ２０７）。
【００８６】
ここで、ＣＭＳ  ＬＵＴの作成について述べる。まず、上述の測定値は、Ｃ×Ｍ×Ｙ×Ｋ：５×５×５×５についてであるが、各段階の間にさらに一段階ずつ増やし、Ｃ×Ｍ×Ｙ×Ｋ：９×９×９×９についてのＬ＊ａ＊ｂ＊表色系の値を補間により求めて、カラーレーザプリンタ２についてのＣＭＹＫ→Ｌ＊ａ＊ｂ＊  ＬＵＴを求める。このとき、多値網点画像の濃度変化のリニアリティが向上するように変換されたものであるから、上述のような補間によりＬ＊ａ＊ｂ＊表色系の値を求めても問題が無い。
【００８７】
さらに、カラーレーザプリンタ２について、ＣＭＹＫ→Ｌ＊ａ＊ｂ＊  ＬＵＴを用いて、Ｌ＊ａ＊ｂ＊→ＣＭＹＫ  ＬＵＴを計算する。例えば、Ｌ＊×ａ＊×ｂ＊：３３×３３×３３についてのＣＭＹＫの組み合わせを収束演算処理などにより求める。
【００８８】
一方、目標とする例えば印刷機で、同様にＣ、Ｍ、Ｙ、Ｋそれぞれの階調値の最小値０から最大値２５５までを４分割し、０、６４、１２８、１９１、２５５の５段階をとり、Ｃ×Ｍ×Ｙ×Ｋ：５×５×５×５＝６２５点の組み合わせのカラーパッチを出力してＬ＊ａ＊ｂ＊表色系の値を測定、補間をして求めた印刷機についてのＣＭＹＫ→Ｌ＊ａ＊ｂ＊  ＬＵＴ基準色特性記憶部１１９に格納しておく。
【００８９】
そして、印刷機についてのＣＭＹＫ→Ｌ＊ａ＊ｂ＊  ＬＵＴのＬ＊ａ＊ｂ＊表色系の値と、カラーレーザプリンタ２についてのＬ＊ａ＊ｂ＊→ＣＭＹＫ  ＬＵＴから、印刷機が出力する色をカラーレーザプリンタ２で出力するための各色の階調値の組み合わせを求め、所定の各色の階調値の組み合わせに対し、所定の各色の階調値の組み合わせにより印刷機が出力する出力色をカラーレーザプリンタ２で出力するための各色の階調値の組み合わせを関連付けたＣＭＹＫ→ＣＭＹＫ  ＬＵＴとして作成する。
【００９０】
このように作成されたＣＭＹＫ→ＣＭＹＫ  ＬＵＴで、入力側のＣＭＹＫの階調値の組み合わせの格子点の間の組み合わせに対応する出力側のＣＭＹＫの階調値の組み合わせを補間により求める場合に、格子点の間の各色の濃度変化は、階調値変換テーブルを用いた変換によりほぼリニアとなるので、色調整後の多値網点画像の色が補間によりはずれることがない。
【００９１】
さらに、当該画像出力システムにおいて行われる画像出力方法の手順について、図１７のフローチャートを用いて説明する。図１７は、制御装置１における画像出力処理の手順を示すフローチャートである。
【００９２】
まず、制御装置１は画像データを受信すると（Ｓ３０１、Ｙ）、ＲＩＰ４でラスターデータ化されたものであれば（Ｓ３０２、Ｙ）Ｓ３０４に遷移し、ベクトルデータの場合には（Ｓ３０２、Ｎ）、解析加工手段１１１でラスターデータ化して（Ｓ３０３）、Ｓ１０４に遷移する。Ｓ３０４では、色調整を行うか否かの判断を行う。色調整を行うか否かの判断は、例えば、目標とする印刷機の出力色に合わせることを所望する場合に、例えば、クライアント端末３または入力部１０６を用いての入力により予め設定し、その設定に基づいて行うか、若しくは、クライアント端末３からの画像データの送信の際に、色調整を行うか否かの情報を付加しその情報に基づいて行う。色調整を行わない場合には（Ｓ３０４、Ｎ）、網点化手段１１６は、ラスターデータを各色について網点基準データ記憶部１１５内の網点基準データに基づいて網点化し、網点画像データとする（Ｓ３０７）。また、色調整を行う場合には（Ｓ３０４、Ｙ）、色調整手段１１３は、ラスターデータの各画素についてＣＭＹＫの階調値の組み合わせを、ＣＭＳ  ＬＵＴ記憶部に記憶されているＣＭＹＫ→ＣＭＹＫ  ＬＵＴを用いて変換し（Ｓ３０５）、網点化手段１１６は、ＣＭＹＫの階調値の組み合わせが変換されたラスターデータを各色について網点基準データ記憶部１１５内の網点基準データに基づいて網点化し、網点画像データとする（Ｓ３０６）。
【００９３】
さらに、階調値変換手段１２２は、網点画像データの各画素について、各色の階調値を階調値変換テーブル記憶部１２３に記憶されている各色についての階調値変換テーブルに基づいて変換する（Ｓ３０８）。
【００９４】
そして、Ｓ３０９で、画像出力制御手段１１７は、通信手段１１８を介して、各色について階調値が変換された網点画像データとともに出力指示信号をカラーレーザプリンタ２に対して送信する。
【００９５】
カラーレーザプリンタ２は、各色について階調値が変換された網点画像データの各画素に示された階調値に基づいて多値網点画像で構成される画像を形成して、カラープルーフまたは最終完成物として出力する。
【００９６】
このように出力される多値網点画像は、階調値変換テーブルによる網点画像データの階調値の変換により、濃度変化のリニアリティが向上しているので、カラーレーザプリンタのいびつな濃度の変化による色ムラやトーンジャンプを発生しない。
【００９７】
また、色調整についても、濃度変化のリニアリティが向上した多値網点画像によるカラーパッチを用いて作成されたＣＭＹＫ→ＣＭＹＫ  ＬＵＴにより変換するので、色調整のための変換により出力色がずれて色ムラやトーンジャンプを発生することがない。
【００９８】
［第２の実施の形態］
次に、本発明に係る第２の実施の形態について説明する。なお、以下には第１の実施の形態と実質的に同様の構成については、詳細な説明を省略し、主に異なる点について述べる。
【００９９】
第１の実施の形態では、階調値変換テーブルを用いて網点画像データの画素の階調値を変換したが、本実施の形態は、多値網点画像の濃度変化のリニアリティを向上させるために、所定の規則にしたがって配置された複数の閾値群からなる網点基準データの閾値を変換し、画像データをその変換された網点基準データを用いて網点化することにより、多値網点画像の濃度変化のリニアリティを向上させるようにするものである。
【０１００】
第２の実施の形態における制御装置１の制御構成について図１８に示す機能ブロック図を用いて説明する。
【０１０１】
網点化手段１１６は、画像データ（ラスターデータ）を、網点基準データ記憶部１１５内の後述する網点基準データ（変換）に基づいて網点化し、また、上述のＣＭＳ用画像データを網点基準データ（変換）に基づいて網点化する。
【０１０２】
網点基準データ変換手段１２５は、第１の実施の形態と同様にして階調値変換テーブル作成手段１２４により作成される階調値変換テーブルに示す入力値と出力値の関係から、網点基準データ記憶部１１５に記憶されている所定の規則にしたがって配置された複数の閾値群からなる網点基準データの閾値を変換し、網点基準データ（変換）を作成して、網点基準データ記憶部１１５に追加記憶する（詳細は後述）。ただし、網点基準データ記憶部１１５に記憶されている網点基準データを網点基準データ（変換）に書換えてもよい。
【０１０３】
ＣＭＳ  ＬＵＴ作成手段１１４は、網点化手段１１６で網点基準データ（変換）に基づいて網点化されたＣＭＳ画像データに基づいてカラーレーザプリンタ２で出力され測定された複数のカラーパッチの色特性の値、本例ではＬ＊ａ＊ｂ＊表色系の値を受け付け第１の実施の形態同様に、ＣＭＹＫ→ＣＭＹＫ  ＬＵＴを作成し、ＣＭＳ  ＬＵＴ記憶部１２１に記憶する。
【０１０４】
（画像出力方法）
次に、当該第２の実施の形態の画像出力システムにおいて行われる画像出力方法について説明するにあたり、まず、網点基準データ変換手順について図１９のフローチャートを用いて説明する。図１９は、制御装置１における網点基準データ変換の手順を示すフローチャートである。
【０１０５】
まず、第１の実施の形態同様に、図１９に示すように、制御装置１の管理手段１１２は、クライアント端末３または入力部１０６からの変換特性作成指示を受けると（Ｓ４０１、Ｙ）、Ｓ４０２では、制御装置１は、階調値変換テーブルを作成するための階調値変換用画像データと出力・測定指示信号をカラーレーザプリンタ２へ送信する。カラーレーザプリンタ２は、用紙Ｐに各色毎の１階調から１５階調のパッチを形成し、測定手段３０で各パッチ及び用紙Ｐの地肌を白（０階調）としてＯＤ値を測定し、測定結果情報を制御装置１に送信する。
【０１０６】
そして、制御装置１の階調値変換テーブル作成手段１２４は、第１の実施の形態と同様に、通信手段１１８を介して、測定結果情報を受けて（Ｓ４０３、Ｙ）、各色について階調値変換テーブルを作成し（Ｓ４０４）、網点基準データ変換手段１２５は、その階調値変換テーブルに示す入力値と出力値の関係から、網点基準データ記憶部１１５に記憶されている所定の規則にしたがって配置された複数の閾値群からなる網点基準データの閾値を変換し、各色について網点基準データ（変換）を作成して（Ｓ４０５）、網点基準データ記憶部１１５に追加記憶する（Ｓ４０６）。
【０１０７】
ここで、閾値の変換の詳細について述べる。図１２の階調値変換テーブルを参照すると、まず、網点画像データの階調値１は、階調値４として出力する関係となっている。そこで、ラスターデータの階調値が図９（ｃ）のレベル１の閾値で階調値４となるように、レベル１から４の閾値を図９（ｃ）のレベル１の閾値に変換する。次に、網点画像データの階調値２及び３は、階調値５として出力する関係となっているので、ラスターデータの階調値が図９（ｃ）のレベル２の閾値の場合に階調値５となるように、レベル５の閾値を図９（ｃ）のレベル２の閾値に変換する。同様に、網点画像データの階調値４及び５は、階調値６として出力する関係となっているので、ラスターデータの階調値が図９（ｃ）のレベル４の閾値の場合に階調値６となるように、レベル６の閾値を図９（ｃ）のレベル４の閾値に変換し、網点画像データの階調値６及び７は、階調値７として出力する関係となっているので、ラスターデータの階調値が図９（ｃ）のレベル６の閾値の場合に階調値７となるように、レベル７の閾値を図９（ｃ）のレベル６の閾値に変換し、網点画像データの階調値８及び９は、階調値８として出力する関係となっているので、ラスターデータの階調値が図９（ｃ）のレベル８の閾値の場合に階調値８となるように、レベル８の閾値は図９（ｃ）のレベル８の閾値のままにし、網点画像データの階調値１０及び１１は、階調値９として出力する関係となっているので、ラスターデータの階調値が図９（ｃ）のレベル１０の閾値の場合に階調値９となるように、レベル９の閾値を図９（ｃ）のレベル１０の閾値に変換し、網点画像データの階調値１２は、階調値１０として出力する関係となっているので、ラスターデータの階調値が図９（ｃ）のレベル１２の閾値の場合に階調値１０となるように、レベル１０の閾値を図９（ｃ）のレベル１２の閾値に変換し、網点画像データの階調値１３は、階調値１１として出力する関係となっているので、ラスターデータの階調値が図９（ｃ）のレベル１３の閾値の場合に階調値１１となるように、レベル１１の閾値を図９（ｃ）のレベル１３の閾値に変換し、網点画像データの階調値１４は、階調値１２として出力する関係となっているので、ラスターデータの階調値が図９（ｃ）のレベル１４の閾値の場合に階調値１２となるように、レベル１２の閾値を図９（ｃ）のレベル１４の閾値に変換し、網点画像データの階調値１５で、階調値１５として出力する関係となっているので、ラスターデータの階調値が図９（ｃ）のレベル１５の閾値の場合に階調値１５となるように、レベル１３から１５の閾値を図９（ｃ）のレベル１５の閾値に変換する。このように閾値の変換を行い、網点基準データ（変換）を作成する。この網点基準データ（変換）を図２０に示す。
【０１０８】
さらにここで、このように作成された網点基準データ（変換）を用いて網点化を行った場合の多値網点画像の階調性について説明する。９６階調から１１２階調をそれぞれ図２１に１）から１７）に示す。ラスターデータにおけるイエローの９６階調から１１２階調の間の網点化結果を、図２１（ａ）に各階調値のラスターデータ、図２１（ｂ）に網点基準データ（変換）の網点化による得られた網点画像データ示す。この図２１（ｂ）の網点画像データは、図９（ｃ）に示す所定の規則にしたがって配置された複数の閾値群からなる網点基準データにより網点化を行い、図１２に示す階調値変換テーブルに基づいて変換して得られた網点画像データと同じである。したがって、このように各色について作成された階調値変換テーブルに基づいて変換して得られた網点基準データ（変換）を用いて網点化を行えば、階調値の変化に対してＯＤ値の変化がいびつ（本例では、階調値４から階調値１２の間でＯＤ値が変化する）であっても、多値網点画像の濃度変化のリニアリティを向上させることができる。
【０１０９】
次に、ＣＭＳ  ＬＵＴ作成手順について図２２のフローチャートを用いて説明する。図１５は、制御装置１におけるＣＭＳ  ＬＵＴ作成の手順を示すフローチャートである。
【０１１０】
図２２に示すように、制御装置１の管理手段１１２は、クライアント端末３または入力部１０６からのＣＭＳ  ＬＵＴ作成指示を受けると（Ｓ５０１、Ｙ）、管理手段１１２は、画像データ記憶部１２０に格納されているＣＭＳ  ＬＵＴを作成するためのＣＭＳ用画像データを網点化手段１１６に送り、網点化手段１１６はＣＭＳ用画像データを上述の図２０の網点基準データ（変換）を用いて網点化する（Ｓ５０２）。そして、画像出力制御手段１１７は、通信手段１１８を介して、網点基準データ（変換）を用いて網点化されたＣＭＳ用画像データと出力・測定指示信号をカラーレーザプリンタ２に対して送信する（Ｓ５０３）。
【０１１１】
以下、第１の実施の形態と同様に、ここで、カラーレーザプリンタ２は、網点化されたＣＭＳ用画像データとともに出力・測定指示信号を受信すると、その網点化されたＣＭＳ用画像データに基づいて用紙Ｐに上述の６２５個カラーパッチの多値網点画像を形成し、さらに、測定手段３０で形成した各カラーパッチのＬ＊ａ＊ｂ＊表色系の値を測定し、測定結果情報を制御装置１に送信する。そして、制御装置１のＣＭＳ  ＬＵＴ作成手段１１４は、通信手段１１８を介して、測定結果情報を受けて（Ｓ５０４、Ｙ）、ＣＭＳ  ＬＵＴを作成し（Ｓ５０５）、ＣＭＳ  ＬＵＴ記憶部１２１に記憶する（Ｓ５０６）。
【０１１２】
さらに、当該第２の実施の形態の画像出力システムにおいて行われる画像出力方法の手順について、図２３のフローチャートを用いて説明する。図２３は、制御装置１における画像出力処理の手順を示すフローチャートである。
【０１１３】
まず、制御装置１は画像データを受信すると（Ｓ６０１、Ｙ）、ＲＩＰ４でラスターデータ化されたものであれば（Ｓ６０２、Ｙ）Ｓ６０４に遷移し、ベクトルデータの場合には（Ｓ６０２、Ｎ）、解析加工手段１１１でラスターデータ化して（Ｓ６０３）、Ｓ１０４に遷移する。Ｓ６０４では、色調整を行うか否かの判断を第１の実施の形態と同様に行う。色調整を行わない場合には（Ｓ６０４、Ｎ）、網点化手段１１６は、ラスターデータを各色について網点基準データ記憶部１１５内の網点基準データ（変換）に基づいて網点化し、網点画像データとする（Ｓ６０７）。また、色調整を行う場合には（Ｓ６０４、Ｙ）、色調整手段１１３は、ラスターデータの各画素についてＣＭＹＫの階調値の組み合わせを、ＣＭＳ  ＬＵＴ記憶部に記憶されているＣＭＹＫ→ＣＭＹＫ  ＬＵＴを用いて変換し（Ｓ６０５）、網点化手段１１６は、ＣＭＹＫの階調値の組み合わせが変換されたラスターデータを各色について網点基準データ記憶部１１５内の網点基準データ（変換）に基づいて網点化し、網点画像データとする（Ｓ６０６）。
【０１１４】
そして、Ｓ６０８で、画像出力制御手段１１７は、通信手段１１８を介して、網点画像データとともに出力指示信号をカラーレーザプリンタ２に対して送信する。
【０１１５】
カラーレーザプリンタ２は、網点画像データの各画素に示された階調値に基づいて多値網点画像で構成される画像を形成して、カラープルーフまたは最終完成物として出力する。
【０１１６】
このように出力される多値網点画像は、階調値変換テーブルに基づいて変換された網点基準データ（変換）を用いて網点化されているので、濃度変化のリニアリティが向上し、カラーレーザプリンタのいびつな濃度の変化による色ムラやトーンジャンプを発生しない。
【０１１７】
［プログラム及びこれを記録する情報記録媒体］
尚、当該画像出力システムを構成する制御装置１において行われる処理、具体的には、図８、１５、１７、１９、２２、または、２３を参照しながら説明した画像出力方法の処理手順を当該制御装置１のコンピュータにおいて実行させるためのプログラムは、制御装置１のコンピュータ本体に内蔵、若しくは、接続される情報記録媒体に記録されており、同じくコンピュータ本体に内蔵される演算手段としての演算処理部１０１によって、これが読み出されて実行されるものとする。
【０１１８】
尚、上述した情報記録媒体の具体例としては、例えばＲＯＭ、ＲＡＭ、フラッシュメモリ等の半導体メモリ、ＨＤＤ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記録媒体＜磁気ディスク＞（ハードディスク／フロッピー（登録商標）ディスク／ＺＩＰ等）等を挙げることができる。
【０１１９】
尚、本実施形態における画像出力システム、画像出力方法、その方法を実行させるためのプログラム、及び、そのプログラムを記録したコンピュータ読取り可能な情報記録媒体は、本発明の好適な一実施形態を例示したものであり、その他の実施形態を除外するものではない。
【図面の簡単な説明】
【０１２０】
【図１】本発明に係る画像出力システムの実施の形態におけるシステム構成を表す構成図である。
【図２】ベクトルデータについて説明するための説明図である。
【図３】ラスターデータについて説明するための説明図である。
【図４】図１に示す画像出力システムの制御装置の構成を表すブロック図である。
【図５】図１に示す画像出力システムにおける制御装置の制御構成を表す機能ブロック図である。
【図６】図１に示す画像出力システムのカラーレーザプリンタの概略機械構成を示す断面図である。
【図７】カラーレーザプリンタの感光体の表面上の電位の状態を説明するための図である。
【図８】本実施の形態における階調値変換テーブル作成手順を示すフローチャートである。
【図９】網点基準データを用いて行うラスターデータの網点画像データへの変換を説明するための説明図である。
【図１０】階調値変換テーブルを作成するための階調値変換用画像データの一例を示す図である。
【図１１】測定濃度特性及び目標濃度特性を示すとともに、階調値変換テーブルの作成方法を説明するための図である。
【図１２】階調値変換テーブルの構成の一例を示す図である。
【図１３】ラスターデータ、網点画像データ、及び、階調値変換テーブルにより変換された網点画像データを示す図である。
【図１４】「変換なし」及び「変換あり」の濃度変化の様子を模式的に示す図である。
【図１５】本実施の形態におけるＣＭＳ  ＬＵＴ作成手順を示すフローチャートである。
【図１６】ＣＭＹＫの組み合わせに対する色のＬ＊ａ＊ｂ＊値を測色するためのカラーパッチの一例を示す図である。
【図１７】本実施の形態における画像出力方法の手順を示すフローチャートである。
【図１８】第２の実施の形態の画像出力システムにおける制御装置の制御構成を表す機能ブロック図である。
【図１９】第２の実施の形態における網点基準データ変換の手順を示すフローチャートである。
【図２０】図１８の網点基準データ変換手段により変換され得られた網点基準データ（変換）の一例を示す図である。
【図２１】ラスターデータ、及び、階調値変換テーブルにより変換された網点基準データを用いて網点化された網点画像データを示す図である
【図２２】第２の実施の形態におけるＣＭＳ  ＬＵＴ作成手順を示すフローチャートである。
【図２３】第２の実施の形態における画像出力方法の手順を示すフローチャートである。
【符号の説明】
【０１２１】
１  制御装置
１００  コンピュータ本体
１０１  演算処理部
１０２  第１記憶部
１０３  第２記憶部
１０４  インターフェイス
１０５  表示部
１０６  入力部
１０７  内部バス
１１１  解析加工手段
１１２  管理手段
１１３  色調整手段
１１４  ＣＭＳ  ＬＵＴ作成手段
１１５  網点基準データ記憶部
１１６  網点化手段
１１７  画像出力制御手段
１１８  通信手段
１１９  基準色特性記憶部
１２０  画像データ記憶部
１２１  ＣＭＳ  ＬＵＴ記憶部
１２２  階調値変換手段
１２３  階調値変換テーブル記憶部
１２４  階調値変換テーブル作成手段
１２５  網点基準データ変換手段
２  カラーレーザプリンタ
３  クライアント端末
４  ＲＩＰ
Ｎ  ネットワーク
【図１】
2006148428.tif 000003
【図２】
2006148428.tif 000004
【図３】
2006148428.tif 000005
【図４】
2006148428.tif 000006
【図５】
2006148428.tif 000007
【図６】
2006148428.tif 000008
【図７】
2006148428.tif 000009
【図８】
2006148428.tif 000010
【図９】
2006148428.tif 000011
【図１０】
2006148428.tif 000012
【図１１】
2006148428.tif 000013
【図１２】
2006148428.tif 000014
【図１３】
2006148428.tif 000015
【図１４】
2006148428.tif 000016
【図１５】
2006148428.tif 000017
【図１６】
2006148428.tif 000018
【図１７】
2006148428.tif 000019
【図１８】
2006148428.tif 000020
【図１９】
2006148428.tif 000021
【図２０】
2006148428.tif 000022
【図２１】
2006148428.tif 000023
【図２２】
2006148428.tif 000024
【図２３】
2006148428.tif 000025